(57)【要約】【課題】古い泥漿を鋳込み型に送り込むことなく排出することができ、成形体の成形不良を防ぐことができる泥漿鋳込み成形装置を提供する。【解決手段】本発明の泥漿鋳込み成形装置１は、流し込まれた泥漿により成形体６を成形する鋳込み型４と、この鋳込み型に泥漿を供給する流し込み用配管１２と、鋳込み型内の余剰泥漿を排出する排泥用配管１４と、流し込み用配管内に滞留する泥漿の一部を排泥用配管に直接的に排出することにより流し込み用配管内の泥漿を入れ替える泥漿入替工程を行う三方バルブ１６とを有する。【選択図】図２
2014184630.tif 000002
【特許請求の範囲】
【請求項１】
泥漿を鋳込み成形する泥漿鋳込み成形装置であって、
流し込まれた泥漿により成形体を成形する鋳込み型と、
この鋳込み型に泥漿を供給する流し込み用配管と、
上記鋳込み型内の余剰泥漿を排出する排泥用配管と、
上記流し込み用配管内に滞留する泥漿の一部を上記排泥用配管に直接的に排出することにより上記流し込み用配管内の泥漿を入れ替える泥漿入替工程を行う泥漿入替手段と、
を有することを特徴とする泥漿鋳込み成形装置。
【請求項２】
上記泥漿入替手段は、上記鋳込み型の近傍に設けられて上記流し込み用配管と上記排泥用配管とを接続する三方バルブを備え、上記流し込み用配管内の上記三方バルブよりも上流側に滞留する泥漿の一部を上記排泥用配管に直接的に排出する請求項１記載の泥漿鋳込み成形装置。
【請求項３】
上記泥漿入替工程は、上記鋳込み型内の泥漿を排泥させて高圧空気を送り込んで上記成形体の含水率を低下させる土締め工程が完了した後から型組みが行われる型組み工程の前までに行われる請求項１又は２に記載の泥漿鋳込み成形装置。
【請求項４】
更に、上記鋳込み型に泥漿を流し込み、上記鋳込み型の成形面に着肉させて上記成形体を成形する成形工程が行われる成形ステーションと、上記成形体を上記鋳込み型から離型する脱型工程が行われる脱型ステーションと、を有し、上記泥漿入替工程は、上記脱型工程が完了した後に上記鋳込み型が上記脱型ステーションから上記成形ステーションに戻り、上記鋳込み型の型組みが行われる型組み工程の前までに行われる請求項１又は２に記載の泥漿鋳込み成形装置。
【発明の詳細な説明】
【技術分野】
【０００１】
本発明は、泥漿鋳込み成形装置に係り、特に、衛生陶器の製造工程において泥漿を鋳込み成形する泥漿鋳込み成形装置に関する。
【背景技術】
【０００２】
従来から、便器や洗浄水タンク等の衛生陶器の製造工程において用いられる泥漿鋳込み成形装置においては、例えば、特許文献１に記載されているように、鋳込み型に泥漿を供給して流し込む流し込み用の配管と、鋳込み型内の余剰泥漿を排出する排泥用配管とを備えたものが知られている。このような泥漿鋳込み装置の流し込み用の配管内には、未使用の泥漿が滞留しており、鋳込み型から水などが流れてくることにより、未使用の泥漿であっても希釈されたり、あるいは滞留中の温度変化によって性質が変わってしまうことがある。
【先行技術文献】
【特許文献】
【０００３】
【特許文献１】特開２００４−１２５３号公報
【発明の概要】
【発明が解決しようとする課題】
【０００４】
しかしながら、上述した従来の泥漿鋳込み成形装置においては、流し込み用の配管内にある性質が変わってしまった泥漿を成形に使用してしまうと、成形体の成形不良を引き起こすという問題がある。
また、仮に、このように性質が変わってしまった泥漿について、新たな泥漿を供給することにより押し出すようにしたとしても、押し出された泥漿は鋳込み型内部に排出されることになるため、この排出された泥漿を処理するのに手間がかかるという問題がある。
【０００５】
そこで、本発明は、上述した従来技術の問題を解決するためになされたものであり、古い泥漿を鋳込み型に送り込むことなく排出することができ、成形体の成形不良を防ぐことができる泥漿鋳込み成形装置を提供することを目的としている。
【課題を解決するための手段】
【０００６】
上述した目的を達成するために、本発明は、泥漿を鋳込み成形する泥漿鋳込み成形装置であって、流し込まれた泥漿により成形体を成形する鋳込み型と、この鋳込み型に泥漿を供給する流し込み用配管と、上記鋳込み型内の余剰泥漿を排出する排泥用配管と、上記流し込み用配管内に滞留する泥漿の一部を上記排泥用配管に直接的に排出することにより上記流し込み用配管内の泥漿を入れ替える泥漿入替工程を行う泥漿入替手段と、を有することを特徴としている。
このように構成された本発明においては、泥漿入替手段が流し込み用配管内に滞留する泥漿の一部を上記排泥用配管に直接的に排出することにより、流し込み用配管内に滞留している古い泥漿を鋳込み型に送り込むことなく排出することができるため、成形体の成形不良を防ぐことができる。
【０００７】
本発明において、好ましくは、上記泥漿入替手段は、上記鋳込み型の近傍に設けられて上記流し込み用配管と上記排泥用配管とを接続する三方バルブを備え、上記流し込み用配管内の上記三方バルブよりも上流側に滞留する泥漿の一部を上記排泥用配管に直接的に排出する。
このように構成された本発明においては、泥漿入替手段として、鋳込み型の近傍に設けられて流し込み用配管と排泥用配管とを接続する三方バルブを採用することにより、簡易な構造によって、流し込み用配管内に滞留している古い泥漿を鋳込み型に送り込むことなく排出することができるため、成形体の成形不良を防ぐことができる。
【０００８】
本発明において、好ましくは、上記泥漿入替工程は、上記鋳込み型内の泥漿を排泥させて高圧空気を送り込んで上記成形体の含水率を低下させる土締め工程が完了した後から型組みが行われる型組み工程の前までに行われる。
【０００９】
本発明において、好ましくは、更に、上記鋳込み型に泥漿を流し込み、上記鋳込み型の成形面に着肉させて上記成形体を成形する成形工程が行われる成形ステーションと、上記成形体を上記鋳込み型から離型する脱型工程が行われる脱型ステーションと、を有し、上記泥漿入替工程は、上記脱型工程が完了した後に上記鋳込み型が上記脱型ステーションから上記成形ステーションに戻り、上記鋳込み型の型組みが行われる型組み工程の前までに行われる。
このように構成された本発明においては、泥漿入替手段による泥漿入替工程が、脱型工程が完了した後に鋳込み型が脱型ステーションから成形ステーションに戻り、鋳込み型の型組みが行われる型組み工程の前までに行われるため、次回の成形工程に速やかに移行することができる。したがって、成形体の成形不良を防ぐことができると共に、生産効率を向上させることができる。
【発明の効果】
【００１０】
本発明の泥漿鋳込み成形装置によれば、古い泥漿を鋳込み型に送り込むことなく排出することができ、成形体の成形不良を防ぐことができる。
【図面の簡単な説明】
【００１１】
【図１】本発明の一実施形態による泥漿鋳込み成形装置を示す概略側面図である。
【図２】本発明の一実施形態による泥漿鋳込み成形装置の配管系統を示す概略図である。
【発明を実施するための形態】
【００１２】
以下、添付図面を参照して、本発明の一実施形態による泥漿鋳込み成形装置について説明する。
まず、図１は、本発明の一実施形態による泥漿鋳込み成形装置を示す概略側面図である。
図１に示すように、本発明の一実施形態による泥漿鋳込み成形装置１は、便器や洗面器等の衛生陶器の製造工程において泥漿鋳込み成形を行うものであり、架台２の前側に配置され、泥漿を鋳込み型４に流し込んで成形体６を成形する工程（成形工程）が行われる成形ステーション８を備えている。また、この成形ステーション８よりも後方側には、成形ステーション８で成形した成形体６を鋳込み型４から離型する工程（脱型工程）が行われる脱型ステーション１０が配置されている。
【００１３】
つぎに、図２は、本発明の一実施形態による泥漿鋳込み成形装置の配管系統を示す概略図である。
図１及び図２に示すように、泥漿鋳込み成形装置１は、成形ステーション８の鋳込み型４に泥漿を供給（送泥）する流し込み用配管１２と、この流し込み用配管１２から鋳込み型４に流れ込み且つ余剰となった泥漿（余剰泥漿）を排出（排泥）する排泥用配管１４と、鋳込み型４の近傍に設けられた三方バルブ１６と、排泥用配管１４の途中に設けられて排泥用配管１４内の流路を開閉するバルブ１８と、排泥工程及び土締め工程において鋳込み型４に空気を供給するエアー配管２０と、このエアー配管２０に設けられたエアーバブル２２を備えている。
【００１４】
また、三方バルブ１６は、流し込み用配管１２と連通可能な流し込み口１６ａと、鋳込み型４と連通可能な鋳込み型口１６ｂと、排泥用配管１４と連通可能な排泥口１６ｃとを備えている。三方バルブ１６の作動により、鋳込み型口１６ｂと流し込み口１６ａとが連通している場合には、鋳込み型口１６ｂと排泥口１６ｃとの連通を閉鎖するようになっており、鋳込み型口１６ｂと排泥口１６ｃとが連通している場合には、鋳込み型口１６ｂと流し込み口１６ａとが閉鎖するようになっている。
【００１５】
さらに、三方バルブ１６は、鋳込み型口１６ｂが閉鎖すると共に、流し込み口１６ａと排泥口１６ｃとを連通させることができるようになっている。これにより、脱型ステーション１０における脱型工程が完了した後に、鋳込み型４が脱型ステーション１０から成形ステーション８に戻り、鋳込み型４の型組みが行われる型組み工程の前までに、流し込み用配管１２内に滞留する泥漿の一部が排泥用配管１４に直接的に排出され、流し込み用配管１２内の泥漿が入れ替えられる泥漿入替工程が行われるようになっている。
【００１６】
つぎに、図１及び図２を参照して、本実施形態の泥漿鋳込み成形装置１による泥漿鋳込み成形方法について説明する。
まず、成形ステーション８の成形工程では、流し込み用配管１２の上流側の泥漿加圧機（図示せず）によって圧送される流し込み用配管１２内の泥漿は、三方バルブ１６に到達する。このとき、三方バルブ１６においては、流し込み口１６ａと鋳込み型口１６ｂとが連通し、鋳込み型口１６ｂと排泥口１６ｃとの連通が閉鎖されているため、流し込み用配管１２から成形ステーション８の鋳込み型４に泥漿を高圧で流し込む高圧流し込み工程が行われる。この高圧流し込み工程中、排泥用配管１４のバルブ１８とエアー配管２０のエアーバルブ２２は、閉鎖されている。
【００１７】
つぎに、鋳込み型４内に流し込まれた泥漿は、鋳込み型４自体の濾過作用により水分と分離され、鋳込み型４の内壁に着肉し、成形体６が成形される。このとき、分離された水分は、鋳込み型４の内部に滞留している。そして、着肉して成形体６が成形された後、三方バルブ１６の鋳込み型口１６ｂと排泥口１６ｃとが連通し、流し込み口１６ａと鋳込み型口１６ｂとの連通が閉鎖され、鋳込み型４内の余剰泥漿（排泥）は、排泥用配管１４内に流れ込む。そして、排泥用配管１４のバルブ１８とエアー配管２０のエアーバルブ２２が開放され、排泥用配管１４内の排泥が排泥アーク（図示せず）に戻される排泥工程が行われる。
【００１８】
つぎに、エアー配管２０のエアーバルブ２２が開放された状態で排泥用配管１４のバルブ１８が閉鎖され、加圧された空気がエアー配管２０から鋳込み型４の内部に供給され、成形体６の含水率を低下させる土締め工程が行われる。これにより、未着泥漿が鋳込み型４の外部に排出して除去され、鋳込み型４内には、含水粘土質の成形体６のみが残存している。土締め工程が完了すると、エアーバルブ２２が閉鎖される。このとき、排泥用配管１４のバルブ１８も閉鎖された状態となっている。
【００１９】
つぎに、成形ステーション８の成形工程から脱型ステーション１０における脱型工程に移行される。そして、脱型ステーション１０において、成形体６の表面と鋳込み型４の内面との間に分離膜（水膜）が形成され、成形体６が鋳込み型４から脱型される。
【００２０】
つぎに、脱型ステーション１０における脱型工程が完了した後に、鋳込み型４が脱型ステーション１０から成形ステーション８に戻り、鋳込み型４の型組みが行われる型組み工程の前までに泥漿入替工程が行われる。この泥漿入替工程では、三方バルブ１６が鋳込み型口１６ｂを閉鎖すると共に、流し込み口１６ａと排泥口１６ｃとが連通し、流し込み用配管１２内に滞留する泥漿の一部が排泥用配管１４に直接的に排出され、流し込み用配管１２内の泥漿が入れ替えられる。
【００２１】
上述した本発明の一実施形態による泥漿鋳込み成形装置１によれば、脱型ステーション１０における脱型工程が完了した後に、鋳込み型４が脱型ステーション１０から成形ステーション８に戻り、鋳込み型４の型組みが行われる型組み工程の前までに、泥漿入替工程が行われることにより、流し込み用配管１２内に滞留する泥漿の一部が排泥用配管１４に直接的に排出することができる。したがって、流し込み用配管１２内に滞留している古い泥漿を鋳込み型４に送り込むことなく排出することができるため、成形体６の成形不良を防ぐことができる。
【００２２】
また、本実施形態による泥漿鋳込み成形装置１によれば、泥漿入替工程を行う泥漿入替手段として、鋳込み型４の近傍に設けられて流し込み用配管１２と排泥用配管１４とを接続する三方バルブ１６を採用することにより、簡易な構造によって、流し込み用配管１２内に滞留している古い泥漿を鋳込み型４に送り込むことなく排出することができるため、成形体６の成形不良を防ぐことができる。
【００２３】
さらに、本実施形態による泥漿鋳込み成形装置１によれば、脱型工程が完了した後に、鋳込み型４が脱型ステーション１０から成形ステーション８に戻り、鋳込み型４の型組みが行われる型組み工程の前までに泥漿入替工程が行われるため、次回の成形工程に速やかに移行することができる。したがって、成形体６の成形不良を防ぐことができると共に、生産効率を向上させることができる。
【００２４】
なお、上述した本実施形態の泥漿鋳込み成形装置１による成形工程では、例として、泥漿を加圧することによって成形する加圧成形に適用した形態について説明したが、このような形態に限られず、石膏型を用いた成形についても適用可能である。
また、本実施形態では、泥漿入替工程について、脱型工程が完了した後に、鋳込み型４が脱型ステーション１０から成形ステーション８に戻り、鋳込み型４の型組みが行われる型組み工程の前までに行われる形態について説明したが、このような形態に限られず、泥漿入替工程は、土締め工程が完了した直後に行ってもよい。
【符号の説明】
【００２５】
１    泥漿鋳込み成形装置
２    架台
４    鋳込み型
６    成形体
８    成形ステーション
１０    脱型ステーション
１２    流し込み用配管
１４    排泥用配管
１６    三方バルブ（泥漿入替手段）
１６ａ  三方バルブの流し込み口
１６ｂ  三方バルブの鋳込み型口
１６ｃ  三方バルブの排泥口
１８    バルブ（開閉弁）
２０    エアー配管
２２    エアーバルブ
【図１】
2014184630.tif 000003
【図２】
2014184630.tif 000004